(57)【要約】【課題】本発明は、階段用側板に踏み板、蹴込み板を嵌合補強用の楔を介在して取付け凹部に安定固着することが出来る階段用楔及びその製造方法を提供するものである。【解決手段】階段用側板３に踏み板２及び又は蹴込み板４を挿入し配設する取付け凹部３０に前記踏み板２及び又は踏み板を取付け固着するに際して使用する嵌合補強用の楔であって、前記嵌合補強用の楔は、取付け凹部３０に嵌入する楔本体部１１と、これと一体に連結した踏板裏面固着部１２と、楔本体部１１及び踏板裏面固着部１２を背面部において安定固着するためのバックアップ部１０とからなり、前記に踏板裏面固着部１２の裏面側には嵌合補強用の楔を直進前進させるためのガイド部１３〜１７を有し、前記楔本体部１１及び又は踏板裏面固着部１２は、直進前進させる先端方向部分が後端部分よりも長手方向に断面板厚さが薄くなるようテーパー部分１１０を形成してなることを特徴する階段用楔１である。【選択図】図１
2004324143.tif 000002
【特許請求の範囲】
【請求項１】
階段用側板に踏み板及び又は蹴込み板を挿入し配設する取付け凹部に前記踏み板及び又は蹴込み板を取付け固着するに際して使用する嵌合補強用の楔であって、
前記嵌合補強用の楔は、取付け凹部に嵌入する楔本体部と、これと一体に連結した踏板裏面固着部と、楔本体部及び踏板裏面固着部を背面部において安定固着するためのバックアップ部とからなり、
前記踏板裏面固着部の裏面側には嵌合補強用の楔を直進前進させるためのガイド部を有し、
前記楔本体部及び又は踏板裏面固着部は、直進前進させる先端方向部分が後端部分よりも長手方向に断面板厚さが薄くなるようテーパー部分を形成してなることを特徴とする階段用楔。
【請求項２】
バックアップ部は、広葉樹木材、合成樹脂成形体、金属製成形体、セラミックス成形体のいずれかの堅牢扁平体よりなることを特徴とする請求項１に記載の階段用楔。
【請求項３】
楔本体部は、針葉樹多孔性木材、合成樹脂発泡体、多孔性合成木材、多孔性竹材成形体のいずれかよりなることを特徴とする請求項１又は請求項２に記載の階段用楔。
【請求項４】
踏板裏面固着部は、針葉樹多孔性木材、合成樹脂発泡体、多孔性合成木材、多孔性竹材成形体、寸法安定材としての集成材、この集成材を芯材とするランバー合板のいずれかよりなることを特徴とする請求項１、請求項２又は請求項３に記載の階段用楔。
【請求項５】
楔本体部と踏板裏面固着部は、一体成形物又は強固接合体のいずれかよりなることを特徴とする請求項１、請求項２、請求項３又は請求項４に記載の階段用楔。
【請求項６】
楔本体部及び又は踏板裏面固着部は、吸着材、吸湿剤、界面活性剤、イオン交換樹脂のいずれか一種又は一種以上を含有してなる湿潤膨張体であることを特徴とする請求項１、請求項２、請求項３、請求項４又は請求項５に記載の階段用楔。
【請求項７】
ガイド部は、断面形状が略扁平長方形、略半円形、略台形、略三角形、略多角形のいずれかよりなる凸部又は凹部であることを特徴とする請求項１、請求項２、請求項３、請求項４、請求項５又は請求項６に記載の階段用楔。
【請求項８】
楔本体部又は踏板裏面固着部は、釘穴及び又は接着剤溜め凹部を有することを特徴とする請求項１、請求項２、請求項３、請求項４、請求項５、請求項６又は請求項７に記載の階段用楔。
【請求項９】
楔本体部は踏板裏面固着部よりも長手方向の寸法が小さくて先端部において空隙部を有することを特徴とする請求項１〜請求項８のいずれかの階段用楔。
【請求項１０】
踏板裏面固着部は、先端部において、蹴込み板嵌合部を有することを特徴とする請求項１〜請求項９のいずれかに記載の階段用楔。
【請求項１１】
楔本体部と踏板裏面固着部を形成する工程と、楔本体部と踏板裏面固着部に吸着材、吸湿剤、界面活性剤、イオン交換樹脂のいずれか一種又は一種以上を含浸又は圧入する工程と、楔本体部と踏板裏面固着部を乾燥仕上げする工程とを少なくとも含むことを特徴する階段用楔の製造方法。
【請求項１２】
吸着材、吸湿剤は、超微粉末を粘着侵入促進材と共に含浸又は圧入する工程を含むことを特徴とする請求項１１に記載の階段用楔の製造方法。
【発明の詳細な説明】
【０００１】
【発明の属する技術分野】
本発明は、階段用側板に踏み板、蹴込み板を嵌合補強用の楔を介在して取付け凹部内に安定固着することが出来る階段用楔及びその製造方法に関するものである。
【０００２】
【従来の技術】
従来、特許文献１によれば、図１１（ト）及び（チ）に示すごとく、楔本体部９１と、これに略垂直状に立設させた取付け固着部９２とからなる嵌合補強用の楔９が開示されている。
また、商品カタログ等によれば、図１２に示すごとく、図１１（ト）に示す嵌合補強用の楔９をテーパー部９０を形成して変形縮小させた嵌合補強用の楔９が知られている。
一方、特許文献２によれば、図１３に示すごとく、嵌合補強用の楔９に長い釘６１を嵌合補強用の楔９４に打設して踏み板９５を階段用側板９６に取付け固着させる「踏み板固定構造」が開示されている。
他方、本出願人は、特許文献３により「階段用側板及びこれを使用する階段」の特許出願を提案している。
これは、図１５に示すごとく、踏み板９５を階段用側板９６に取付け固着する際に、取付け凹部９６０内に前記踏み板９５を安定固着させるために使用される略扁平長方体からなる楔９８とバックアップ部９９とからなる階段用楔９に関するものである。
【０００３】
【発明が解決しようとする課題】
しかしながら、特許文献１に記載の階段用楔９は、空気が乾燥したり湿度が高くなると、楔本体部９１や取付け固着部９２が伸縮して、楔本体部９１と取付け凹部９６０との間に隙き間を生じて、嵌合補強用の楔としての機能を十分に発揮しなくなる場合がある。これは、図１１に（ト）及び（チ）に示す階段用楔９にも共通した問題点である。
【０００４】
また、図１２に示す階段用楔９は、図１４に示すごとく、階段用側板９６の取付け凹部９６０に踏み板９５を取付け固定する際に、釘６２を使用すると、釘６２の打設時に階段用楔９が破損したり、また打設時において階段用楔９が直進前進しない場合がある。
【０００５】
一方、特許文献２に記載された階段用楔９は、図１３に示すごとく、長い釘６１を使用するため、必ずしも所定の傾斜方向に長い釘６１が打設困難となる場合がある。そのため、階段用楔９は所定の位置に取付け固定されない場合がある。そして、階段用楔９４が破損したり、長い釘６１の打設が困難な場合がある。
【０００６】
他方、特許文献３により提案された階段用楔９８は、矢印方向に直進前進しなかったり、蹴込み板９７を先に踏み板９５に取付け固定している場合には、階段用楔９８の先端部分９８１が蹴込み板９７に当接したり、当接しない場合には隙き間を生じることが判明した。
【０００７】
【特許文献】
【特許文献１】
実公平０７−７４６４号公報
【特許文献２】
特開平０８−１９３３９８号公報
【特許文献３】
特願２００２−２５８０３２号
【０００８】
本発明は、上記従来技術の問題点に鑑みてなされたものであって、階段用楔を直進前進させたり、釘の打設持の階段用楔の破損を防止し、釘の打設が容易となり、階段用側板に踏み板、蹴込み板を嵌合補強用の楔を介在して取付け凹部に安定固着することが出来る階段用楔及びその製造方法を提供しようとするものである。
【０００９】
【課題を解決するための手段】
そこで本発明が採った手段は、前記従来技術の課題を解決するため、下記の請求項１〜請求項１０に記載の発明を提案するもので、更に具体的に説明するため、実施例において使用する図面の符号を付して説明する。
【００１０】
まず、請求項１に記載の発明が採った手段は、階段用側板３に踏み板２及び又は蹴込み板４を挿入し配設する取付け凹部３０に前記踏み板２及び又は蹴込み板４を取付け固着するに際して使用する嵌合補強用の楔であって、
前記嵌合補強用の楔は、取付け凹部３０に嵌入する楔本体部１１と、これと一体に連結した踏板裏面固着部１２と、楔本体部１１及び踏板裏面固着部１２を背面部において安定固着するためのバックアップ部１０とからなり、
前記踏板裏面固着部１２の裏面側には、嵌合補強用の楔を直進前進させるためのガイド部１３〜１７を有し、
前記楔本体部１１及び又は踏板裏面固着部１２は、直進前進させる先端方向部分が後端部分よりも長手方向に断面板厚さが薄くなるようテーパー部分１１０を形成してなることを特徴とする階段用楔１を提供するものである。
【００１１】
これにより、階段用楔１を直進前進させたり、釘６の打設時に生じる階段用楔１の破損を防止し、釘６の打設が容易になると共に、階段用側板３に踏み板２、蹴込み板４を嵌合補強用の楔を介在して取付け凹部３０に安定固着することが出来る階段用楔１及びその製造方法を提供することが出来る。
【００１２】
次に、請求項２に記載の発明が採った手段は、バックアップ部１０は、広葉樹木材、合成樹脂成形体、金属製成形体、セラミックス成形体のいずれか堅牢扁平体よりなることを特徴とする階段用楔１を提供するものである。
これにより、バックアップ部１０を階段用側板３の取付け凹部３０内に打設する際に、バックアップ部１０の破損を防止し、確実にバックアップ機能（背面固着支援）を発揮してバックアップ部１０が打設が容易になる。
【００１３】
そして請求項３に記載の発明が採った手段は、楔本体部１１は、針葉樹多孔性木材、合成樹脂発泡体、多孔性合成木材、多孔性竹材成形体のいずれかよりなることを特徴とする階段用楔１を提供するものである。
これにより、楔本体部１１の吸着材、吸湿剤、界面活性剤、イオン交換樹脂を含浸又は圧入し易くなり、空気中の湿分を吸収して、優れた機能を発揮する湿潤膨張体を得ることが出来る。なお、圧丹生は１．２〜１０気圧下位で行う。
【００１４】
また、請求項４に記載の発明が採った手段は、踏板裏面固着部１２は、針葉樹多孔性木材、合成樹脂発泡体、多孔性合成木材、多孔性竹材成形体、集成材、寸法安定材としての集成材、この集成材を芯材とするランバー合板のいずれよりなることを特徴とする階段用楔１を提供するものである。
これにより、前記と同様に、楔本体部１１に吸着材、吸湿剤、界面活性剤、金属製成形体、イオン交換樹脂を含浸又は圧入し易くなり、空気中の湿分を吸収して階段用側板３の取付け凹部３０内において、踏み板２を安定固着させることができる。また、楔本体部１１と踏板裏面固着部１２とが同質の材料により構成される場合には、階段用楔１の製作が容易となり、膨張伸縮が略同一となる。
【００１５】
次に、請求項５に記載の発明が採った手段は、楔本体部１１と踏板裏面固着部１２は、一体成形物又は強固接合体のいずれかよりなることを特徴とする階段用楔１を提供するものである。
これにより、階段用楔１の製作が容易となり、前記と同様に、階段用楔１の伸縮が略同一となり、階段用側板３の取付け凹部３０内に踏み板２を安定固着させることが出来る。また、階段用楔１の打設時の破損を防止することが容易となる。
【００１６】
そして、請求項６に記載の発明が採った手段は、楔本体部１１及び又は踏板裏面固着部１２は、吸着材、吸湿剤、界面活性剤、イオン交換樹脂のいずれか一種又は一種以上を含有してなる湿潤膨張体であることを特徴とする階段用楔１を提供するものである。
これにより、階段用楔１は階段用側板３の取付け凹部３０内において、空気中の湿分を吸収して、体積が膨張することにより、踏み板２を安定固着することが出来る階段用楔１を得ることが出来る。なお、湿潤膨張体は乾燥時においても、一旦吸湿した水分はイオン作用により、あたかも結晶水のごとく、容易に分遊することはなく、上記の効果は長時間持続することが経験則により判明している。
【００１７】
また、請求項７記載の発明が採った手段は、断面形状が略扁平長方形、略半円形、略台形、略三角形、略多角形のいずれかよりなる凸部又は凹部であることを特徴とする階段用楔１を提供するものである。
これにより、木工加工機等の使用により、プレカット製品として階段用楔１の製作が容易となり、所定形状の階段用楔１を迅速容易に得ることが出来る。
【００１８】
そして、請求項８に記載の発明が採った手段は、楔本体部１１又は踏板裏面固着部１２は、釘穴及び又は接着剤溜め凹部を有することを特徴とする階段用楔１を提供するものである。
これにより、踏み板２の裏面側において、階段用楔１を安定固着することが容易となる。そのため、階段用楔１の取付け作業が迅速容易となる。
【００１９】
請求項９に記載の発明の採った手段は、楔本体部１１は、踏板裏面固着部１２よりも長手方向の寸法が小さくて先端部において空隙部１１１を有することを特徴とする請求項１〜請求項８のいずれかの階段用楔。
【００２０】
請求項１０に記載の発明が採った手段は、踏板裏面固着部１２は、先端部において、蹴込み板嵌合部１２１を有することを特徴とする請求項１〜請求項９のいずれかに記載の階段用楔。
これにより、取付け凹部３０内において、階段用楔１の伸縮が自在となる。また、階段用楔１と蹴込み板４との嵌合が強固となる。
【００２１】
一方、請求項１１に記載の発明が採った手段は、楔本体部１１と踏板裏面固着部１２を形成する工程と、楔本体部１１と踏板裏面固着部１２に吸着材、吸湿剤、界面活性剤、イオン交換樹脂のいずれか一種又は一種以上を含浸又は圧入する工程と、楔本体部１１と踏板裏面固着部１２を乾燥仕上げする工程とを少なくとも含むことを特徴とする階段用楔１の製造方法提供するものである。
これにより、湿潤膨張体である階段用楔１を迅速容易に得ることが出来る。なお、吸着材、吸湿剤、界面活性剤、イオン交換樹脂は、後述する一定の例外を除いて、主として可溶性の有機物である。
【００２２】
そして、請求項１２に記載の発明が採った手段は、吸着材、吸湿剤は超微粉末を粘着侵入促進材と共に含浸又は圧入する工程を含むことを特徴とする階段用楔１の製造方法を提供するものである。
これにより、例えば活性炭、活性白土、ベントナイト、ゼオライトなどの水に不溶性の無機物からなる吸着材や吸湿剤であっても、楔本体部１１及び又は踏板裏面固着部１２とに、約１．２〜１０気圧下位で含浸又は圧入することが出来る。そのため、各種吸着材、吸湿剤を広く使用して優れた機能を発揮する湿潤膨張体からなる階段用楔１を容易に得ることが出来る。
【００２３】
【発明の実施の形態】
本発明の実施の形態を、実施例１〜３及び請求項１〜請求項１２に記載の各種実施の態様に対応させて、更に図面を参照させながら具体的に説明する。
【００２４】
まず、本発明の階段用楔１は、箱階段（図７参照）及び側桁階段（図３）のいずれかに適用するものである。
そのため、階段用側板３に踏み板２及び又は蹴込み板４を挿入し配設する取付け凹部３０に前記踏み板２及び又は蹴込み板４を取付け固着するに際して使用する嵌合補強用の楔であることを前提とする。
それ故、箱階段においては、踏み板２のみを階段用側板３の取付け凹部３０内に階段用楔１の楔本体部１１に挿入し配設するものである。
また、側桁階段においては、踏み板２及び蹴込み板４の双方を、階段用側板３の取付け凹部３０内に階段用楔１の楔本体部１１を挿入し配設するものである。したがって、請求項１に記載の発明において注目すべきことは、踏み板２及び又は蹴込み板４と記載しているのは、上記のごとく、踏み板２のみを階段用側板３の取付け凹部３０内に安定固着する場合と、踏み板２及び蹴込み板４を階段用側板３の取付け凹部３０内に安定固着する場合の双方を含むことを意味するものである。
【００２５】
次に、図１は、本発明の実施例１に係る階段用楔１の斜視図を示すものである。この図面において、請求項１に記載の発明において、楔本体部１１は、少なくとも、直進前進させる先端方向部分が後端部分よりも長手方向に断面板厚さが薄くなるようテーパー部分１１０を形成してなることを特徴としている。
これに対し、踏板裏面固着部１２は、図１及び図２に示すごとく、必ずしも先端方向部分が後端部分よりも長手方向に断面板厚さが薄くなっていない。そのため、請求項１の後段における記載において、
「前記楔本体部１１及び又は踏板裏面固着部１２は、直進前進させる先端方向部分が後端部分よりも長手方向に断面板厚さが薄くなるように・・・」と記載しているのである。つまり、楔本体部１１は必ず細り形状であることを必要とし、これに対して踏板裏面固着部１２は生き細り形状の場合と、扁平な長方体形状の場合との双方との態様を含むのである。楔本体部１１は、階段用側板３の直進前進３０が生き細り形状に刻設されており、階段用楔１の後端部分より先端方向部分へ直進前進させるためである。
【００２６】
そして、楔本体部１１及び又は踏板裏面固着部１２は、略数度から十数度のテーパー部分を有するのである。これにより、楔本体部１１は取付け凹部３０内において、円滑に直進前進すると共に、踏板裏面固着部１２はガイド部１３〜１７に誘導されて直進前進し、所定の位置に安定固着されるのである。
したがって、本発明に係る階段用楔１は、図１に示すごとき形状を基本としているのである。
【００２７】
一方、楔本体部１１は、請求項３に記載された発明に示すごとく、針葉樹多孔性木材、合成樹脂発泡体、多孔性合成木材、多孔性竹材成形体のいずれにより構成されることが好ましい。階段用側板３の取付け凹部３０内において、空気中の湿分を吸収して踏み板２を強固な嵌合力を発揮し、安定固着させるための湿潤膨張体を形成するためである。なお、湿潤膨張体の製造方法については、後述し、内容を詳細に説明する。
【００２８】
次に、踏板裏面固着部１２は、図１に示すごとく、請求項４に記載の発明において、上記楔本体部１と同質の材質である材料の他に、寸法安定木材としての集成材又はこの集成材を芯材とするランバー合板により構成することが好ましい。ここにいう「寸法安定木材としての集成材」とは、例えば矩形木片の繊維方向が相互に多方向に交叉するように配列された、繊維方向が異方向性を有する集成材を意味している。これにより、繊維方向が異方向性であると、集成材の寸法安定性が優れ、反りやねじれを生じない寸法安定木材を構成することになる。木材繊維方向が同一が偏向すると、その方向に則して木材が寸法変化するからである。なお、上記多孔性合成木材と合成樹脂発泡体とは、例えば発泡ポリウレタン樹脂により構成した場合には、略同質の材料となる場合がある。
【００２９】
そして、上記集成材を芯材とする「ランバー合板」とは、少なくとも中心部の芯材か、サンドイッチ構成としてラワン材との混成合板をいう。
この合板も、寸法安定木材の一種として、寸法安定性に優れ、その結果として踏板裏面固着部１２の反りやねじれを生じ難いからである。
なお、階段全体としても、例えば踏み板２、階段用側板３、蹴込み板４なども、寸法安定木材としての集成材やこの集成材を芯材とするランバー合板を使用して構成することが好ましい。寸法精度が向上し、床鳴りやキシミ音が発生しない階段を得ることが出来るからである。
【００３０】
また、踏板裏面固着部１２は、図１に示すごとく、凸部のガイド部１３及び又は凹部のガイド部１４を有することが好ましい。これは請求項７に記載の発明に記載のごとく、各種形状である各実施態様がある。
即ち、図５に示すごとく、凹部のガイド部は断面形状が略三角形１５（図５の（ニ））、略台形１６（図５の（ホ）、略扁平長方形１７（図５の（ヘ）、略半円形１４（図１）又は略多角形、例えば半分の六角形、八角形などの各種実施態がある。なお、これらの凹部のガイド部１３〜１７は、例えば高粘着性の接着剤の接着剤溜め凹部を兼ねることが出来る。これにより、階段用楔１、特に踏板裏面固着部１２が踏み板２の裏面側において、強力な接着力により、安定固着することになる。
【００３１】
一方、踏み板２の裏面側においては、階段用楔１に形成した凹部のガイド部１４〜１７の場合は、これに対応した、略円形または相似形の凸部（突起部）を予め工場生産時において形成したプレカット製品又はプレハブ大量生産品であることが好ましい。現場施工作業の能率や生産性を高め、迅速容易に階段用側板３に踏み板２を取付け固着させることが出来るからである。なお、凸部のガイド部１３の場合は、これに対応した凹部（各種形状の細長溝）を踏み板２の裏面側に形成しておくことになる。
【００３２】
ここで、請求項５、請求項６、請求項９、請求項１８に記載の発明について説明する。前記のごとく、楔本体部１１と踏板裏面固着部１２とは、針葉樹多孔性木材、合成樹脂発泡体、多孔性合成木材、多孔性竹材成形体などの同質の材料を使用する場合は、楔本体部１１と踏板裏面固着部１２とが一体成形物であることが好ましい。プレカット製品としての階段用楔１の生産性が向上するからである。
一方、踏板裏面固着部１２に、前記安定木材としての集成材又はこの集成材を芯材とするランバー合板を使用する場合には、強固接合体であることが好ましい。例えば接合面が嵌合遊脱しない強固な嵌合力を有する階段用楔１を容易に得ることが出来る。
【００３３】
図１及び図２に示すごとく、楔本体部１１よりも踏板裏面固着部１２の長手方向の寸法（長さ）が若干小さいには、楔本体部１１が湿潤膨張体としての機能を十分に発揮し、階段用側板３の取付け凹部３０内において、空気中の水分を十分に吸収して、その体積が膨大することにより、踏み板２を階段用側板３に確実に安定固着させるためである。
これに対し、踏板裏面固着部１２は、図２に示すごとく、先端部分が蹴込み板４に形成した凹部内において、寸法変化が安定した寸法安定木材であることが好ましい。高精度の階段を得て、床鳴りやキシミ音の発生を防止することが出来るからである。
【００３４】
また、図２に示すごとく、階段用側板３には踏み板２及び蹴込み板４を取付け固着した一部断面図を含む側面において、踏板裏面固着部１２の寸法より小さい空隙部分１１１を有する。これは、前述のごとく、楔本体部１１が湿潤膨張体としての機能を十分に発揮し、取付け凹部３０において踏み板２を強固な嵌合力により安定固着させるためである。なお、この場合、楔本体部１１と踏板裏面固着部１２との接合面は、例えば蟻掛け凹凸嵌合のごとく、楔本体部１１と踏板裏面固着部１２とが一旦接合しておくと分離し離脱しない強固接合体を構成することが出来る。これは、接合部１９の横揺れやねじれに対して強固に耐えることが出来、しかも両側面方向に引き抜かれる力が向上するからである。
【００３５】
図２は、階段用楔１を使用して、階段用側板３の取付け凹部３０内に、踏み板２及び蹴込み板４を取付け固着した状態を示す側面図及び階段用楔１の部分の断面図である。ここにおいて、踏み板２は先端部において、滑り止め凹部２１０を形成した段鼻部２１を有する。
また、ここで注目すべきことは、前述のごとく、楔本体部１１の先端部において空隙部１１１を有し、踏板裏面固着部２の先端部において蹴込み板４の凹部４０内に凹凸嵌合部１２１を有することである。この点が従来技術で記載した特許文献１〜３に係る階段用楔９などと本質的に異なる点であり、本発明に最大の特徴点である。なお、図２に示した階段用側板３は、図３に示すごとく、側桁階段としての取付け凹部３０を有する。この取付け凹部３０は、踏み板取付け凹部３０１と蹴込み板取付け凹部３０２と段鼻取付け凹部３０３とよりなる。これは、請求項９及び１０に記載の発明に対応するものである。
【００３６】
次に、図４は、階段用側板３に踏み板２及び蹴込み板４を階段用楔１を介在して、取付け固着する手順について概説する。
まず、図４（イ）に示すごとく、階段用側板３に踏み板２及び蹴込み板４を取付け固定しておく、そして階段用楔１を矢印方向に直進前進させて、階段用楔１の背面部としての後端部分より打設する。この時、踏み板２の裏面側において形成したガイド部用凹部２０内に、図１に示すごとく、踏み板２の裏面側において形成した凸部のガイド部１３が嵌入して、階段用楔１を先端方向部分が直進前進する。そのため、階段用楔１全体は所定の位置に安定固着することになる。
【００３７】
そして、踏み板２の先端部１２１は、蹴込み板４に形成した嵌合凹部４０内に嵌合すると共に、楔本体部１１は階段用側板３の取付け凹部３０内において、嵌合し先端部分において空隙部１１１を形成する。これにより、階段用楔１は取付け凹部３０内において安定固着すると共に、蹴込み板４の嵌合凹部４０内において安定固着することになる。なお、踏み板２の段鼻部２１（図２参照）及び蹴込み板４の両端部も取付け凹部３０内に嵌入している。
【００３８】
次に、図４（ロ）に示すごとく、階段用楔１を所定位置に安定固着させた後において、バックアップ部１０を矢印方向より打設する。踏板裏面固着部１２及びバックアップ部１０を打設するに際しては、後端部分において当て木を配設して、木槌又は金槌などのハンマーを用いることになる。この時、階段用楔１及びバックアップ部１０は直進前進し、所定位置に直進前進して安定固着することになる。
これは、従来の階段用楔９が、図１３及び図１４に示すごとく、斜め方向に階段用楔９や長い釘６１を打設するのと異なり、本発明においては、踏板裏面固着部１２やバックアップ部１０の後端部分より真直の方向に打設するからである。
【００３９】
ここで、上記バックアップ部１０は、請求項２に記載の発明で示したごとく、広葉樹木材、合成樹脂成形体、金属製成形体、セラミックス成形体のいずれの堅牢扁平体で構成することが好ましい。階段用側板３の取付け凹部３０において、楔本体部１１及び踏板裏面固着部１２を強固に支持するためである。
そして、図４（ハ）に示すごとく、踏板裏面固着部１２には、釘６を打設すると共に、好ましくは接着剤溜め凹部を踏み板２の裏面側において形成して、この接着剤溜め凹部（図示略）内に高粘着性の接着剤を注入又は塗装しておき、釘６と接着剤の併用により階段用楔１を安定固着することが好ましい。
【００４０】
次に、請求項５、請求項６、請求項９及び請求項１０に記載の発明において詳細に説明する。
まず、楔本体部１１及び又は踏板裏面固着部１２は、請求項６に記載のごとく、吸着材、吸湿剤、界面活性剤、イオン交換樹脂のいずれか一種又は一種以上を含有してなる湿潤膨張体であることが好ましい。
上記吸着材としては、例えば活性炭、活性白土、沸石、ベントナイト、ゼオライトなどの無機系の超微粉のものと、吸着能を有する水素イオンや水酸基イオンを遊離するアルデヒド類、ケトン類、脂肪酸類などの有機系の液状物でとがある。また、これらのナトリウム塩、カリウム塩、マグネシウム塩であっても良い。また、多価アルコール、エーテル類やエステル類のごとく、溶剤などと上記有機系の吸着剤とを併用することが好ましい。
【００４１】
請求項３に記載の針葉樹多孔性木材、合成樹脂発泡体、多孔性合成木材、多孔性竹材成形体などの多孔質材料の微細な孔内に吸着剤が侵入し易くなるからである。これは、後述の吸湿剤、界面活性剤、イオン交換樹脂の場合においても同様のことが適用される。
また、無機系の吸着剤は、前記多孔質材料の孔径が数ミクロンから数百ミクロンであっても、この孔内に侵入できる大きさの超微粉末であることが肝要である。
なお、無機系の吸着剤として、塩化カルシュウやカルシウムカリ塩のごとき、水又は溶剤に可溶なものは、請求項９に記載の発明のごとく、液体を含浸又は圧入することにより、前記多孔質材料の孔内に侵入させることが出来る。なお、吸湿剤は塩化カルシウムのごとく、吸着材と共通するものもある。
【００４２】
一方、上記無機系の吸着剤の大半は、請求項１０に記載の発明のごとく、粘着侵入促進材と共に含浸又は圧入することが好ましい。粘着侵入促進材としては、アルギン酸塩、カルボキシメチルセルローズ、トロロアオイ、ポリビニルアルコール、ポリリン酸塩、アクリルアミドなどがある。これらは、無機系の吸着剤の表面を被覆して、これらと共に多孔質材料の孔内に侵入する補助機能があるからである。なお、粘着侵入促進材としては、
【００４３】
上記界面活性剤としては、例えば高級脂肪酸塩などの石けん、硫酸ドデシルナトリウム塩、アルキルベンゼンスルホン酸ナトリウム、アルキルアリールスルホン酸塩などがある。これらは、吸着剤と同様に、カルシウム塩やマグネシウム塩を有し、これらの塩を遊離するので、吸着能を発揮するからである。
【００４４】
イオン交換樹脂としては、例えば陽イオン交換樹脂と陰イオン交換樹脂があり、交換能のあるイオンを有し多孔質の合成樹脂の総称である。そして、不溶性のものが多いため、無機系の吸着剤と同様に、請求項１０に記載の発明のごとく、前記粘着侵入促進材と併用して、多孔質材料中に含有又は圧入することになる。しかし、陽イオン交換樹脂中には、ポリスチレンなどの母体合成樹脂にフェノール性ヒドロキシ基やカルボキシ基、スルホ基を有するものは、特定の有機溶液に若干可溶のものがあるので、この場合は、請求項９に記載の発明のごとく、有機溶液に溶かしたものを直接多孔質材料の孔内に浸透させることが出来る場合もある。
【００４５】
以上のごとく、本発明に係る階段用楔１は、請求項１１及び請求項１２に記載のごとく製作する製造方法がある。
そして、上記階段用楔１（図１〜図５）について説明したが、更に図６〜図１０に示すごとく、階段用楔１の別の態様もある。
まず、図６及び図７に示すとく、箱階段（図７）においては、階段用側板３には踏み板２のみが取付け固着できるような、取付け凹部３０がある。
この取付け凹部３０は、踏み板取付け凹部３０１と段鼻取付け凹部３０３とよりなる。
そして、図６に示すごとく、上記取付け凹部３０内には、踏み板２を階段用楔１を介在して、安定固着させる。
【００４６】
一方、図８〜図１０に示すごとく、側桁階段（図３）において、階段用側板３の取付け凹部３０内に、踏み板２及び蹴込み板４を取付け固着する別態様もある。
この場合においては、図８に示すごとく、楔本体部１１と踏板裏面固着部１２とが一体成形物であり、楔本体部１１には接着剤溜め凹部１９を有すると共に、踏板裏面固着部１２の裏面側には２つの凹部ガイド部１４、１８が形成してある。そして、踏板裏面固着部１２には６つの釘穴１２０が形成してある。これにより、釘６（図４（ハ）参照）の打設を迅速容易にすると共に、楔本体部１１が階段用側板３の取付け凹部３０内において、より安定固着することになる。なお、図８〜図１０に示すごとく、前記階段用楔１（図１及び図２参照）と同様に、楔本体部１１の先端部において、空隙部１１１を形成することが好ましい。階段用側板３の取付け凹部３０内において、楔本体部１１が湿潤膨張体として伸縮自在になるためである。
以下、本発明の好ましい実施例について、図面を参照しながら、具体的に説明する。
【００４７】
（実施例１）
本例は、図１〜図５に示すごとく、側桁階段（図３参照）において、階段用側板３の取付け凹部３０内に踏み板２及び蹴込み板４を取付け固着するために使用する階段用楔１及びその取付け方法、更には階段用楔１の製造方法について説明する。
図１に示すごとく、本例に係る階段用楔１は、取付け凹部３０に嵌入する楔本体部１１と、これと一体に連結した踏板裏面固着部１２と、楔本体部１１及び踏板裏面固着部１２を背面部において安定固着するためのバックアップ部１０とよりなる。
【００４８】
図１に示すごとく、楔本体部１１は、直進前進させる先端方向部分が後端部分よりも長手方向に断面板厚さが薄くなるようテーパー部分１１０が形成してある。テーパー部分１１０としては、約１４〜１６度の傾斜角を有する。
また、楔本体部１１は、その先端部において、空隙部１１１を有する。
これは、階段用側板３の取付け凹部３０内において、湿潤膨張体としての機能を十分に発揮し、踏板裏面固着部１２を確実かつ強固に嵌合させ、安定固着させるためである。
【００４９】
上記楔本体部１１は、スギや桧などのような針葉樹多孔性木材を用いて構成する。針葉樹多孔性木材は、一般に広葉樹木や落葉樹木よりも短期間内に成長し、比較的多孔質体を形成し易いからである。
また、楔本体部１１には、数ミクロンから数ナミクロンの粒径の超微細粉末である活性炭、活性白土、ベントナイト、ゼオライトの混合吸着を粘着侵入促進材としてのポリリン酸ソーダと共に、請求項１１又は請求項１２に記載のごとく、含浸又は圧入させた。これにより、空気中の水分を効率よく吸収することが出来る湿潤膨張体としての楔本体部１１を形成させた。
【００５０】
そして、図１に示すごとく、踏板裏面固着部１２と蟻掛け凹凸嵌合して強固接合体としての階段用楔１を形成させた。なお、図１においては、図面が複雑になるため、上記蟻掛け凹凸嵌合は、接合部分１９を単なる実線で表し、簡略化してある。
これにより、上記蟻掛け凹凸嵌合は、強固な嵌合力を有すると共に、接着剤を併用してあるため、強固接合体を形成することが出来る。なお、踏板裏面固着部１２は、アピトン、ミズナラ、ブナ、ケヤキ、カバ、ニレ、タモなどの広葉樹木材、落葉樹木材などの廃材、端材を使用した。
【００５１】
次に、図１及び図２に示すごとく、踏板裏面固着部１２は裏面側において、扁平長方体としての凸部のガイド部１４を有する。これにより、踏板裏面固着部２の裏面側に形成した凹状のガイド溝２０（図４（イ）、（ロ）参照）に、上記凸部のガイド部１４が嵌入して、階段用楔１を直進前進させることが出来る（図４（イ）、（ロ）、（ハ）参照）。
その結果、図２及び図３に示すごとく、側桁階段の階段用側板３の取付け凹部３０内に階段用楔１（図１参照）を介在させて、踏板裏面固着部２及び蹴込み板４を取付け固着させることが出来る。
【００５２】
図２において、踏み板２の先端部には、滑り止め凹部２１０を形成させた段鼻部２１を有する。
本例において、最も注目すべきことは、図２に示すごとく、楔本体部１１の先端部において、空隙部１１１を有すると共に、蹴込み板４の背面部の一部に、階段用楔１の先端部の一部が嵌合していることである。これは、請求項１１に対応するものである。
これにより、楔本体部１１は階段用側板３の取付け凹部３０内において、湿潤膨張体としての機能を発揮し、踏み板２を強固の階段用側板３に嵌合出来ると共に、蹴込み板４を踏み板２及び階段用側板３に強固に取付け固着することが出来る。
【００５３】
次に、図４に示すごとく、階段用側板３に踏み板２及び蹴込み板４を階段用楔１を介在して、取付け固着する手順を概説する。
まず、図４（イ）に示すごとく、階段用側板３に踏み板２及び蹴込み板４を取付け固定しておく、そして、階段用楔１を矢印方向に直進前進させて、階段用楔１の背面部の後端部分より打設する。この時、踏み板２の裏面側において形成したガイド部用凹部２０内に、図１に示すごとく、踏み板２の裏面側において形成した凸部のガイド部１３を嵌入して、階段用楔１を先端方向部分が直進前進する。そのため、階段用楔１全体は、所定位置に安定固着する。
【００５４】
次に、図４（ロ）に示すごとく、階段用楔１を所定位置に安定固着させた後、バックアップ部１０を矢印方向より打設する。なお、踏板裏面固着部１２及びバックアップ部１０を打設するに当っては、当て木を当該部分に配設して、木槌又は金槌を用いる。
ここで、上記バックアップ部１０は、上記踏板裏面固着部１２のごとく、広葉樹木及び薬用樹木の廃材や木工製品の製作時に生じる端材片を有効活用する。廃材としては、例えば木造建築物の解体時や木工製品の製作時に生じる端材片のことである。これにより資源の有効リサイクル活用と自然破壊などによる環境保全及び廃材の燃焼消却に生じる二酸化炭素の減少による地球温暖化防止などの環境改善を図ることが出来る。
【００５５】
そして、図４（ハ）に示すごとく、踏板裏面固着部１２には釘６を打設すると共に、踏み板２の裏面側において形成した凹部のガイド部１４内に接着剤を塗布して、釘６と接着剤（図示略）の併用により階段用楔１を安定固着することが出来た。
従って、本例によれば、階段用側板３に踏み板２、蹴込み板４を、階段用楔１を介在して取付け凹部３０内に安定固着することが出来る階段用楔１及びその製造方法を提供することが可能となった。
【００５６】
（実施例２）
本例は、図６及び図７に示すごとく、実施例１の側桁階段に代えて、箱階段（図７参照）における階段用側板３の取付け凹部３０内に、踏み板２を取付け固着するために使用する階段用楔１及びその製造方法を提供するものである。その他の構成は、実施例１と同様の構成とした。それ故、実施例１と同様の階段用楔１及びその製造方法を提供することが出来る。なお、取付け凹部３０の大入れ加工は、踏板裏面固着部取付け凹部のみが図６及び図７に示すごとく、形成してある。
【００５７】
（実施例３）
本例は、図８〜図１０に示すごとく、楔本体部１１と踏板裏面固着部１２とを同質の材料を用いて一体成形物した階段用楔１及びその製造方法を提供するものである。
また、楔本体部１１と踏板裏面固着部１２とは、先端部分が後端部分よりも長手方向に断面板厚さが薄くなるよう形成してある。そして、楔本体部１１には接着剤溜め凹部１９が、また、踏板裏面固着部１２には釘穴１２０と凹部のガイド部１４、１８が２つ形成してある。その他の構成は、実施例１と同様とした。そのため、実施例１と同様の階段用楔１及びその製造方法を提供することが出来る。
【００５８】
【発明の効果】
以上説明した如く、本発明は、請求項１〜請求項１２に記載の発明により構成されているため、下記に示すような諸々の効果を奏するものである。
まず、請求項１に記載の発明によれば、階段用楔１を直進前進させたり、釘６の打設時に生じる階段用楔１の破損を防止し、釘６の打設が容易になると共に、階段用側板３に踏み板２及び又は蹴込み板４を階段用楔１を介在して取付け凹部３０内に安定固着することが出来る階段用楔１及びその製造方法を提供することが出来る。
【００５９】
また、請求項２に記載の発明によれば、バックアップ部１０を階段用側板３の取付け凹部３０内に打設する際に、バックアップ部１０の破損を防止し、バックアップ部１０の打設が容易になる。
そして、請求項３に記載の発明によれば、楔本体部１１に吸着材、吸湿剤、界面活性剤、イオン交換樹脂を含浸又は圧入し易くない、空気中の湿分を吸収して、優れた機能を発揮する湿潤膨張体を得ることが出来る。
更に、請求項４に記載の発明によれば、前記請求項３の場合と同様に優れた機能を発揮する湿潤膨張体を得ることが出来る。また、楔本体部１１と踏板裏面固着部１２とが同質の材料により構成される場合には、階段用楔１の製作が容易となり、膨張伸縮が略同一となる。
【００６０】
請求項５に記載の発明によれば、階段用楔１の製作が容易となり、前記と同様に階段用楔１の伸縮が略同一となり、階段用側板３の取付け凹部３０内に踏み板２を安定固着させることが出来る。また、階段用楔１の打設時の破損を防止することが容易となる。
そして、請求項６に記載の発明によれば、階段用楔１は階段用側板３の取付け凹部３０内において、空気中の湿分を吸収して体積が膨張することにより、踏み板２を安定固着することが出来る階段用楔１を得ることが出来る。
【００６１】
また、請求項７に記載の発明によれば、木工機械等の使用により、プレカット製品としての階段用楔１の製作が容易となり、所定形状の階段用楔１を得ることが出来る。
そして、請求項８に記載の発明によれば、踏み板２の裏面側において、階段用楔１を安定固着することが容易となる。そのため、階段用楔１の取付け作業が迅速容易となる。
【００６２】
また、請求項９及び１０に記載の発明によれば、取付け凹部３０内において、空気中の水分を吸収して、湿潤膨張体として自在に膨張することが出来ると共に、踏み板２と階段用側板３と蹴込み板とを階段用楔１を介在して強合に取付け固着することが出来る。
【００６３】
一方、階段用楔１１に記載の発明によれば、湿潤膨張体である階段用楔１を迅速容易に得ることが出来る。
そして、請求項１０に記載の発明によれば、例えば活性炭、活性白土、ベントナイト、ゼオライト、などの水に不溶性の無機物からなる吸着材や吸湿剤であっても、楔本体部１１及び又は踏板裏面固着部１２とに、含浸又は圧入することが出来る。そのため、各種の吸着材、吸湿剤を広く使用して、優れた機能を発揮する湿潤膨張体からなる階段用楔１を容易に得ることが出来る。
以上のごとく、本発明によれば、階段用楔１を直進前進させたり、釘６の打設時に生じる破損を防止し、釘６の打設が容易になると共に、階段用側板３に踏み板２及び又は蹴込み板４を階段用楔１を介在して取付け凹部３０内に安定固着することが出来る階段用楔１及びその製造方法を提供することが出来る。
【図面の簡単な説明】
【図１】実施例１に係る階段用楔の全体斜視図である。
【図２】実施例１に係る階段用楔を使用して階段用側板３に踏み板２及び蹴込み板４を取付け固着した状態を示す側面図である。なお、図２において、階段用楔の部分は、便宜上断面図で示しててある。
【図３】実施例１に係る側桁階段における階段用側板の取付け凹部を刻設（大入れ加工）した状態を示す側面図である。
【図４】実施例１における階段用楔１を取付け固着する手順を示す説明図である。
【図５】実施例１における階段用楔１の裏面側に形成する凹部のガイド部の各種形状の態様を示す背面図である。
【図６】実施例２に係る階段用楔３を階段用側板に取付け固着した状態を示す側面図である。なお、この図において、階段用楔は便宜上断面図で示し、階段用側板の取付け凹部も併記してある。
【図７】実施例２に係る階段用側板の取付け凹部を形成した状態を示す側面図である。
【図８】実施例３に係る階段用楔の斜視図である。
【図９】実施例３に係る階段用楔の側面図である。
【図１０】実施例３に係る階段用楔を階段用側板に取付け固着した状態を示す側面図である。なお、この図において、階段用楔は便宜上断面図で示してある。
【図１１】特許文献１に係る階段用楔の斜視図である。
【図１２】従来の階段用楔の別の態様の斜視図である。
【図１３】特許文献２に係る階段用楔の断面図である。
【図１４】従来の階段用楔を階段用側板に取付け固着する状態を示す斜視図である。
【図１５】特許文献３に係る階段用楔の取付け固着状態を示す平面説明図である。
【符号の説明】
１    階段用楔
１０    バックアップ部
１１    楔本体部
２        踏板裏面固着部
１３〜１７  ガイド部
２        踏み板
３        階段用側板
３０    取付け凹部
４        蹴込み板
【図１】
2004324143.tif 000003
【図２】
2004324143.tif 000004
【図３】
2004324143.tif 000005
【図４】
2004324143.tif 000006
【図５】
2004324143.tif 000007
【図６】
2004324143.tif 000008
【図７】
2004324143.tif 000009
【図８】
2004324143.tif 000010
【図９】
2004324143.tif 000011
【図１０】
2004324143.tif 000012
【図１１】
2004324143.tif 000013
【図１２】
2004324143.tif 000014
【図１３】
2004324143.tif 000015
【図１４】
2004324143.tif 000016
【図１５】
2004324143.tif 000017